(57)【要約】【課題】ガイド部材の位置精度を向上させることが可能な画像形成装置を提供する。【解決手段】この画像形成装置１００は、装置本体と、装置本体に対して開閉可能に設けられる開閉ユニット３１と、装置本体に設けられる第１ローラー１４ａおよび開閉ユニット３１に設けられる第２ローラー１４ｂからなるレジストローラー対１４と、レジストローラー対１４に対して用紙搬送方向上流側に配置される第１ガイド部材３５と、第１ガイド部材３５に対して用紙搬送方向上流側に配置される第２ガイド部材３６と、第１ガイド部材３５を装置本体に当接するように付勢する付勢部材３７と、を備える。第１ガイド部材３５は、第２ローラー１４ｂの回転軸に揺動可能に連結され、第２ガイド部材３６は、第１ガイド部材３５に揺動可能に連結されている。【選択図】図５
2018081319.tif 000002
【特許請求の範囲】
【請求項１】
装置本体と、
前記装置本体の一側面に対して開閉可能に設けられる開閉ユニットと、
前記装置本体に設けられる第１ローラーおよび前記開閉ユニットに設けられる第２ローラーからなり、シートをニップして搬送する第１搬送ローラー対と、
前記装置本体に設けられ、前記開閉ユニットが閉じた状態で前記第２ローラーの回転軸を位置決めする位置決め部材と、
前記開閉ユニットにおける前記第２ローラーのシート搬送方向上流側に配置され、前記第１搬送ローラー対に向けて前記シートをガイドする第１ガイド部材と、
前記開閉ユニットにおける前記第１ガイド部材の前記シート搬送方向上流側に配置され、前記第１搬送ローラー対に向けて前記シートをガイドする第２ガイド部材と、
前記第１ガイド部材を前記装置本体に当接するように付勢する付勢部材と、
を備え、
前記第１ガイド部材のシート搬送方向と直交する幅方向の両端部には、第１連結部が設けられ、
前記第１連結部の一端部は、前記第２ローラーの回転軸に揺動可能に連結され、
前記第２ガイド部材の前記幅方向の両端部には、第２連結部が設けられ、
前記第２連結部の一端部は、前記第１ガイド部材の前記第１連結部の他端部に揺動可能に連結され、
前記第２連結部の他端部は、前記開閉ユニットの被係合部に連結され、
前記第２ガイド部材のシート搬送方向下流側には、前記シートをガイドするフィルム部材が設けられていることを特徴とする画像形成装置。
【請求項２】
前記装置本体に設けられる第３ローラーおよび前記第２ガイド部材に設けられる第４ローラーからなり、前記シートをニップして搬送する第２搬送ローラー対を備えることを特徴とする請求項１に記載の画像形成装置。
【請求項３】
前記第４ローラーは、前記第２ガイド部材の前記幅方向の中央部に設けられ、
前記第２ガイド部材には、前記第４ローラーを前記第３ローラーに向かって付勢する付勢部材が設けられていることを特徴とする請求項２に記載の画像形成装置。
【請求項４】
前記第２連結部は、シート搬送方向下流側の端部が前記第１ガイド部材に揺動可能に連結されており、
前記第２連結部の前記シート搬送方向上流側の端部には、前記被係合部に係合する係合部が設けられており、
前記係合部は、前記第１ガイド部材および前記第２ガイド部材の揺動に応じて前記被係合部にスライド可能に係合することを特徴とする請求項１〜３のいずれか１項に記載の画像形成装置。
【請求項５】
前記開閉ユニットには、前記第１搬送ローラー対を通過し定着装置を通過した前記シートを前記第１搬送ローラー対の前記シート搬送方向上流側に再搬送するための反転搬送路が設けられており、
前記第１ガイド部材と前記第２ガイド部材との間には、前記反転搬送路を搬送された前記シートを通過させる開口部が設けられていることを特徴とする請求項１〜４のいずれか１項に記載の画像形成装置。
【請求項６】
前記第１搬送ローラー対は、レジストローラー対であることを特徴とする請求項１〜５のいずれか１項に記載の画像形成装置。
【発明の詳細な説明】
【技術分野】
【０００１】
本発明は、画像形成装置に関し、特に、装置本体に対して開閉可能に設けられる開閉ユニットと、シートをニップして搬送する搬送ローラー対と、を備えた画像形成装置に関する。
【背景技術】
【０００２】
従来、装置本体の一側面に対して開閉可能な開閉ユニットを備えた画像形成装置が知られている。具体的には、装置本体には、用紙（シート）を搬送する搬送ローラー対を構成する一方のローラーが設けられ、開閉ユニットには、搬送ローラー対を構成する他方のローラーが設けられる。開閉ユニットを閉じた状態において一方のローラーに対する他方のローラーの位置精度を確保するために、装置本体には、他方のローラーを位置決めする位置決め部材が設けられる。また、搬送ローラー対の用紙搬送方向上流側には、用紙搬送路を構成するガイド部材が、装置本体と開閉ユニットとに設けられる。この画像形成装置では、開閉ユニットを開くことにより、用紙搬送路が開放されるので、装置本体側面からジャム処理を行うことができる。
【０００３】
なお、装置本体の一側面に対して開閉可能な開閉ユニットと、用紙を搬送する搬送ローラー対と、搬送ローラー対の用紙搬送方向上流側に配置され用紙搬送路を構成するガイド部材と、を備えた画像形成装置は、例えば特許文献１に開示されている。
【先行技術文献】
【特許文献】
【０００４】
【特許文献１】特開２００６−２９０５１６号公報
【発明の概要】
【発明が解決しようとする課題】
【０００５】
しかしながら、用紙搬送路を構成するガイド部材が装置本体と開閉ユニットとに設けられる従来の画像形成装置では、開閉ユニットに設けられるガイド部材の位置精度は開閉ユニットに依存し、装置本体に対する位置精度が低下する。このため、用紙搬送路の隙間寸法（用紙厚み方向の寸法）がばらつくので、用紙ジャムが発生したり、用紙にシワが発生したりする場合があるという問題点がある。
【０００６】
本発明は、上記のような課題を解決するためになされたものであり、本発明の目的は、ガイド部材の位置精度を向上させることが可能な画像形成装置を提供することである。
【課題を解決するための手段】
【０００７】
上記目的を達成するために、本発明の第１の構成の画像形成装置は、装置本体と、装置本体の一側面に対して開閉可能に設けられる開閉ユニットと、装置本体に設けられる第１ローラーおよび開閉ユニットに設けられる第２ローラーからなり、シートをニップして搬送する第１搬送ローラー対と、装置本体に設けられ、開閉ユニットが閉じた状態で第２ローラーの回転軸を位置決めする位置決め部材と、開閉ユニットにおける第２ローラーのシート搬送方向上流側に配置され、第１搬送ローラー対に向けてシートをガイドする第１ガイド部材と、開閉ユニットにおける第１ガイド部材のシート搬送方向上流側に配置され、第１搬送ローラー対に向けてシートをガイドする第２ガイド部材と、第１ガイド部材を装置本体に当接するように付勢する付勢部材と、を備える。第１ガイド部材のシート搬送方向と直交する幅方向の両端部には、第１連結部が設けられ、第１連結部の一端部は、第２ローラーの回転軸に揺動可能に連結され、第２ガイド部材の幅方向の両端部には、第２連結部が設けられ、第２連結部の一端部は、第１ガイド部材の第１連結部の他端部に揺動可能に連結され、第２連結部の他端部は、開閉ユニットの被係合部に連結されている。
【発明の効果】
【０００８】
本発明の第１の構成によれば、開閉ユニットが閉じた状態で第２ローラーの回転軸を位置決めする位置決め部材を装置本体に設けることによって、第２ローラーは装置本体に対して精度良く位置決めされる。そして、第１ガイド部材を第２ローラーの回転軸に揺動可能に連結させることによって、第１ガイド部材が付勢部材により付勢された状態で、装置本体に対して第１ガイド部材を精度良く位置決めすることができる。また、第２ガイド部材を第１ガイド部材に連結させることによって、装置本体に対して第２ガイド部材を精度良く位置決めすることができる。このように、第１ガイド部材および第２ガイド部材の位置精度を向上させることができるので、シート搬送路の隙間寸法（シート厚み方向の寸法）のばらつきを抑制することができる。その結果、シートのジャムが発生したり、シートにシワが発生したりするのを抑制することができる。
【図面の簡単な説明】
【０００９】
【図１】本発明の一実施形態の画像形成装置の全体構造を示した断面図である。
【図２】本発明の一実施形態の画像形成装置のレジストローラー対および中間搬送ローラー対周辺の構造を示した断面図である。
【図３】本発明の一実施形態の画像形成装置の開閉ユニットの構造を示した斜視図である。
【図４】本発明の一実施形態の画像形成装置の開閉ユニット周辺の構造を示した斜視図である。
【図５】本発明の一実施形態の画像形成装置の第２ローラー、第１ガイド部材および第２ガイド部材周辺の構造を示した斜視図である。
【発明を実施するための形態】
【００１０】
以下、本発明の実施形態について図面を参照して説明する。
【００１１】
図１〜図５を参照して、本発明の一実施形態による画像形成装置１００について説明する。図１に示すように、画像形成装置１００はタンデム式のカラー複写機であり、画像形成装置１００本体内には４つの画像形成部Ｐａ、Ｐｂ、Ｐｃ及びＰｄが、図１では左側から順に配設されている。画像形成部Ｐａ〜Ｐｄは、異なる４色（イエロー、マゼンタ、シアン及びブラック）の画像に対応して設けられており、それぞれ帯電、露光、現像及び転写の各工程によりイエロー、マゼンタ、シアン及びブラックの画像を順次形成する。
【００１２】
これらの画像形成部Ｐａ〜Ｐｄには、各色の可視像（トナー像）を担持する感光体ドラム１ａ、１ｂ、１ｃ及び１ｄが配設されており、さらに図１において反時計回りに回転する中間転写ベルト８が各画像形成部Ｐａ〜Ｐｄに隣接して設けられている。これらの感光体ドラム１ａ〜１ｄ上に形成されたトナー像が、各感光体ドラム１ａ〜１ｄに当接しながら移動する中間転写ベルト８上に順次転写されて重畳された後、二次転写ローラー９の作用によってシートの一例としての用紙２６上に転写され、さらに、定着装置７において用紙２６上に定着された後、装置本体より排出される。感光体ドラム１ａ〜１ｄを図１において時計回りに回転させながら、各感光体ドラム１ａ〜１ｄに対する画像形成プロセスが実行される。
【００１３】
トナー像が転写される用紙２６は、装置下部の給紙カセット１０内に収容されている。用紙２６は給紙カセット１０の用紙積載板２８上に積載されており、ピックアップローラー２９に用紙２６の上面が所定の圧力で圧接された状態でピックアップローラー２９を回転させることで用紙２６の給送が開始される。そして、搬送ローラー対３０により複数枚の用紙２６のうち最上の１枚のみが分離され、用紙搬送路１１に向けて搬送される。中間搬送ローラー対（第２搬送ローラー対）２２により搬送されて用紙搬送路１１を通過した用紙２６は、レジストローラー対（第１搬送ローラー対）１４に到達し、画像形成タイミングに合わせて二次転写ローラー９と中間転写ベルト８の駆動ローラー１３との間のニップ部へと搬送される。
【００１４】
中間転写ベルト８には誘電体樹脂製のシートが用いられ、継ぎ目を有しない（シームレス）ベルトが主に用いられる。また、二次転写ローラー９から見て中間転写ベルト８の移動方向の下流側には中間転写ベルト８表面に残存するトナーを除去するためのクリーニングブレード１７が配置されている。
【００１５】
画像読取部２０は、複写時に原稿を照明するスキャナーランプや原稿からの反射光の光路を変更するミラーが搭載された走査光学系、原稿からの反射光を集光して結像する集光レンズ、及び結像された画像光を電気信号に変換するＣＣＤセンサー等（いずれも図示せず）から構成されており、原稿画像を読み取って画像データに変換する。
【００１６】
次に、画像形成部Ｐａ〜Ｐｄについて説明する。感光体ドラム１ａ〜１ｄの周囲及び下方には、帯電装置２ａ、２ｂ、２ｃ及び２ｄと、露光装置４と、現像装置３ａ、３ｂ、３ｃ及び３ｄと、クリーニング装置５ａ、５ｂ、５ｃ及び５ｄが設けられている。
【００１７】
画像読取部２０から画像データが入力されると、先ず、帯電装置２ａ〜２ｄによって感光体ドラム１ａ〜１ｄの表面を一様に帯電させ、次いで露光装置４によって光ビームを照射し、各感光体ドラム１ａ〜１ｄ上に画像データに応じた静電潜像を形成する。現像装置３ａ〜３ｄは、感光体ドラム１ａ〜１ｄに対向配置された現像ローラー（現像剤担持体）を備え、それぞれイエロー、マゼンタ、シアン及びブラックの各色のトナーを含む二成分現像剤が所定量充填されている。このトナーは、現像ローラーにより感光体ドラム１ａ〜１ｄ上に供給され、静電潜像に応じたトナー像が形成される。
【００１８】
そして、感光体ドラム１ａ〜１ｄ上のトナー像が中間転写ベルト８上に一次転写される。その後、感光体ドラム１ａ〜１ｄの表面に残留したトナーがクリーニング装置５ａ〜５ｄにより除去される。
【００１９】
中間転写ベルト８は、従動ローラー１２及び駆動ローラー１３に掛け渡されており、駆動ローラー１３の回転に伴い中間転写ベルト８が反時計回りに回転を開始すると、用紙２６がレジストローラー対１４から所定のタイミングで二次転写ローラー９と中間転写ベルト８のニップ部（二次転写ニップ部）へ搬送され、ニップ部において用紙２６上にフルカラー画像が二次転写される。
【００２０】
用紙２６は、定着装置７へ搬送され、定着ローラー対１５のニップ部（定着ニップ部）を通過する際に加熱及び加圧されてトナー像が用紙２６の表面に定着され、所定のフルカラー画像が形成される。その後、用紙２６は、搬送ローラー対１６を経て用紙搬送路１９の分岐部に配置された搬送ガイド部材２１によって搬送方向が振り分けられ、そのまま（或いは、両面搬送路（反転搬送路）２３に送られて両面コピーされた後に）、排出ローラー対２４を介して排出トレイ１８に排出される。
【００２１】
用紙搬送路１９は、具体的には、搬送ローラー対１６の下流側において左右二股に分岐し、一方の経路（図１では左方向に分岐する経路）は排出トレイ１８に連通するように構成されている。そして、他方の経路（図１では右方向に分岐する経路）は両面搬送路２３に連通するように構成されている。
【００２２】
本発明の画像形成装置１００は、装置の背面に沿って略Ｃ字状の両面搬送路２３を設けた構造（背面Ｃパス）となっており、両面搬送路２３の一部を構成する開閉ユニット３１が、装置本体の背面（一側面）に対して開閉可能に設けられている。開閉ユニット３１は、その下端部を中心として揺動可能であり、閉状態において用紙搬送路１１および１９の一部を構成し、開状態において用紙搬送路１１および１９を開放する。
【００２３】
図２に示すように、レジストローラー対１４は、駆動ローラーである第１ローラー１４ａおよび従動ローラーである第２ローラー１４ｂからなり用紙Ｐをニップして搬送する。第１ローラー１４ａは、装置本体に回転可能に軸支されている。第２ローラー１４ｂは図２および図３に示すように、開閉ユニット３１に回転可能に軸支されているとともに、開閉ユニット３１と一体で揺動する。
【００２４】
また、装置本体には図４に示すように、第１ローラー１４ａの回転軸を回転可能に軸支する軸受部材（位置決め部材）３２が設けられている。この軸受部材３２には、第２ローラー１４ｂの回転軸が嵌め込まれる開口部３２ａが形成されている。また、開閉ユニット３１には図２および図５に示すように、第２ローラー１４ｂを装置本体側（開閉ユニット３１を閉じた状態で第１ローラー１４ａに向かう方向）に付勢する圧縮コイルバネからなる付勢部材３３が設けられている。これにより、開閉ユニット３１を閉じると、第２ローラー１４ｂは軸受部材３２の開口部３２ａに嵌り込み、第１ローラー１４ａに対して精度良く位置決めされる。このため、第１ローラー１４ａに対する第２ローラー１４ｂの平行度が向上するので、用紙２６のスキューや搬送力のばらつきが抑制される。
【００２５】
また、装置本体には、レジストローラー対１４に対して用紙搬送方向上流側（図２の下側）に配置され、用紙２６をガイドする固定ガイド部材３４が固定されている。開閉ユニット３１には、レジストローラー対１４に対して用紙搬送方向上流側に配置され、用紙２６をレジストローラー対１４に向けてガイドする第１ガイド部材３５と、第１ガイド部材３５に対して用紙搬送方向上流側に配置され、用紙２６をレジストローラー対１４に向けてガイドする第２ガイド部材３６と、が設けられている。第１ガイド部材３５および第２ガイド部材３６は、固定ガイド部材３４に対向配置されており、固定ガイド部材３４、第１ガイド部材３５および第２ガイド部材３６によって、用紙搬送路１１の一部が構成されている。
【００２６】
図５に示すように、第１ガイド部材３５の幅方向（用紙搬送方向と直交する方向）の両端部には、第１連結部３５ａが設けられている。この第１連結部３５ａの上端部（用紙搬送方向下流側の端部、一端部）３５ｂには、第２ローラー１４ｂの回転軸が挿通される軸受孔が設けられており、第１ガイド部材３５の上端部３５ｂは、第２ローラー１４ｂの回転軸に揺動可能に連結されている。また、開閉ユニット３１には、第１ガイド部材３５を装置本体側（固定ガイド部材３４側）に付勢する圧縮コイルバネからなる付勢部材３７が設けられている。これにより、開閉ユニット３１を閉じると、第１ガイド部材３５は装置本体の図示しない当接部（例えば固定ガイド部材３４の用紙幅方向の端部）に当接されて位置決めされる。
【００２７】
第２ガイド部材３６の幅方向の両端部には、第２連結部３６ａが設けられている。この第２連結部３６ａの上端部（用紙搬送方向下流側の端部、一端部）３６ｂは、第１ガイド部材３５の下端部（用紙搬送方向上流側の端部、他端部）３５ｃに設けられたボスに、上端部３６ｂに設けられた係止孔が挿通され、連結されている。図２に示すように、第２ガイド部材３６の左面および上面は、用紙搬送路１１の一部および両面搬送路２３の一部をそれぞれ構成している。そして、第１ガイド部材３５と第２ガイド部材３６との間には、両面搬送路２３を搬送された用紙２６を通過させる開口部Ｓが設けられている。
【００２８】
第２ガイド部材３６の上部には、可撓性および透光性を有するフィルム部材３８が設けられている。フィルム部材３８は、用紙搬送路１１と両面搬送路２３との合流部に配置されており、用紙２６が用紙搬送路１１から搬送される場合、用紙２６に押圧され両面搬送路２３側に撓んで用紙搬送路１１を広げ、用紙２６が両面搬送路２３から搬送される場合、用紙２６に押圧され用紙搬送路１１側に撓んで両面搬送路２３を広げる。
【００２９】
図５に示すように、第２ガイド部材３６の幅方向中央部には、中間搬送ローラー対２２を構成する従動ローラーである第４ローラー２２ｂが回転可能に軸支されているとともに、開閉ユニット３１と一体で装置本体に対して揺動（開閉）する。また、図２に示すように、装置本体の固定ガイド部材３４には、第４ローラー２２ｂに対向する位置に、中間搬送ローラー対２２を構成する駆動ローラーである第３ローラー２２ａが回転可能に軸支されている。第３ローラー２２ａおよび第４ローラー２２ｂは、用紙２６をニップしてレジストローラー対１４に向けて搬送する。なお、第４ローラー２２ｂは、圧縮コイルバネからなる付勢部材３９によって、開閉ユニット３１を閉じた状態で第３ローラー２２ａに圧接される。
【００３０】
また、図５に示すように、第２ガイド部材３６の下端部（用紙搬送方向上流側の端部、他端部）３６ｃには、細長の略Ｕ字形状の係合部３６ｄが形成されている。また、開閉ユニット３１には、用紙幅方向内側に突出し、係合部３６ｄと係合する被係合部４０が設けられている。第２ガイド部材３６が第１ガイド部材３５の揺動に連動して動く場合、係合部３６ｄは被係合部４０に対して係合した状態でスライドする。
【００３１】
係合部３６ｄの下部（略Ｕ字形状の一方端部）は、被係合部４０を挿脱可能に構成されており、開閉ユニット３１を開いた状態では、係合部３６ｄと被係合部４０との係合を解除することが可能である。なお、開閉ユニット３１を閉じた状態では、係合部３６ｄと被係合部４０との係合を解除できないように構成されている。
【００３２】
本実施形態では、上記のように、開閉ユニット３１を閉じた状態で第２ローラー１４ｂの回転軸を位置決めする軸受部材３２を装置本体に設けることによって、第２ローラー１４ｂは装置本体に対して精度良く位置決めされる。そして、第１ガイド部材３５を第２ローラー１４ｂの回転軸に揺動可能に連結することによって、第１ガイド部材３５が付勢部材３７により付勢された状態で、装置本体に対して第１ガイド部材３５を精度良く位置決めすることができる。また、第２ガイド部材３６を第１ガイド部材３５に連結することによって、装置本体に対して第２ガイド部材３６を精度良く位置決めすることができる。このように、第１ガイド部材３５および第２ガイド部材３６の位置精度を向上させることができるので、用紙搬送路１１の隙間寸法（用紙厚み方向の寸法）のばらつきを抑制することができる。その結果、用紙２６のジャムが発生したり、用紙２６にシワが発生したりするのを抑制することができる。
【００３３】
また、上記のように、中間搬送ローラー対２２の第４ローラー２２ｂを位置精度の良い第２ガイド部材３６に設けることによって、第３ローラー２２ａに対する第４ローラー２２ｂの平行度を向上させることができるので、用紙２６のスキューや搬送力のばらつきを抑制することができる。
【００３４】
また、上記のように、第２ガイド部材３６の上端部は、第１ガイド部材３５に連結されており、第２ガイド部材３６の下端部には、第１ガイド部材３５および第２ガイド部材３６の揺動に応じて被係合部４０にスライド可能に係合する係合部３６ｄが設けられている。これにより、第１ガイド部材３５が第２ローラー１４ｂの回転軸を中心として揺動する際に、第１ガイド部材３５に連動するように第２ガイド部材３６を容易に動かすことができる。また、第２ガイド部材３６の下部を被係合部４０に係合させることによって、第２ガイド部材３６の下部がばたつくのを抑制することができる。
【００３５】
また、上記のように、レジストローラー対１４よりも用紙搬送方向上流側に両面搬送路２３が繋がっている場合、両面搬送路２３を搬送された用紙２６を通過させる開口部Ｓを設けるために、第１ガイド部材３５と第２ガイド部材３６とを別体で形成する場合がある。この場合、第１ガイド部材３５や第２ガイド部材３６の位置精度が低下しやすいので、第１ガイド部材３５および第２ガイド部材３６の両方の位置精度を向上させるために本発明を適用することは、特に有効である。
【００３６】
また、上記のように、位置精度が特に良いレジストローラー対１４の第２ローラー１４ｂの回転軸に第１ガイド部材３５を連結し、その第１ガイド部材３５に第２ガイド部材３６を連結する。これにより、第１ガイド部材３５および第２ガイド部材３６の位置精度を特に向上させることができる。
【００３７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３８】
例えば、図１に示したようなタンデム型のカラー画像形成装置に本発明を適用した例について示したが、本発明はこれに限らない。言うまでもなく、モノクロ複写機、モノクロプリンター、デジタル複合機、ファクシミリ等の、開閉ユニットを備えた種々の画像形成装置に本発明を適用できる。
【００３９】
また、上記実施形態では、第１ガイド部材３５と第２ガイド部材３６との間に、両面搬送路２３を搬送された用紙２６を通過させる開口部Ｓを設けた例について示したが、本発明はこれに限らない。第１ガイド部材３５と第２ガイド部材３６との間に、用紙２６を通過させる開口部Ｓが設けられていなくてもよい。また、画像形成装置１００に両面搬送路２３が設けられていなくてもよい。
【符号の説明】
【００４０】
７  定着装置
１４  レジストローラー対（第１搬送ローラー対）
１４ａ  第１ローラー
１４ｂ  第２ローラー
２２  中間搬送ローラー対（第２搬送ローラー対）
２２ａ  第３ローラー
２２ｂ  第４ローラー
２３  両面搬送路（反転搬送路）
２６  用紙（シート）
３１  開閉ユニット
３２  軸受部材（位置決め部材）
３５  第１ガイド部材
３５ａ  第１連結部
３５ｂ  上端部（一端部）
３５ｃ  下端部（他端部）
３６  第２ガイド部材
３６ａ  第２連結部
３６ｂ  上端部（一端部）
３６ｃ  下端部（他端部）
３６ｄ  係合部
３７  付勢部材
４０  被係合部
１００  画像形成装置
Ｓ  開口部
【図１】
2018081319.tif 000003
【図２】
2018081319.tif 000004
【図３】
2018081319.tif 000005
【図４】
2018081319.tif 000006
【図５】
2018081319.tif 000007